(57)【特許請求の範囲】
【請求項１】
先打ちコンクリート部の上側に後打ちコンクリート部を形成してなる場所打ちコンクリート杭に、構造物を支持する支承をアンカーボルトにより定着させる施工方法であって、
掘削孔に主筋を配筋した状態で、当該掘削孔内に先打ちコンクリートを打設し、上側に余盛り部ができるように前記先打ちコンクリート部を形成する工程と、
前記余盛り部を除去し、前記先打ちコンクリート部の上面を露出させる工程と、
露出した前記先打ちコンクリート部の上面に、架台を設置する工程と、
前記架台に設けられた支持部を前記架台に対して上下方向に位置調整するとともに、前記支持部に載置した保持部に前記アンカーボルトを保持させた状態で前記保持部を前記支持部に対して水平方向に位置調整することで、前記アンカーボルトを、前記支承を定着させる位置に位置決めする工程と、
前記アンカーボルトを位置決めした状態で、前記掘削孔内に後打ちコンクリートを打設して前記後打ちコンクリート部を形成することで、前記アンカーボルトの下部を前記架台、前記支持部及び前記保持部とともに前記後打ちコンクリート部に固定する工程と、
前記後打ちコンクリート部に固定された前記アンカーボルトの上部に前記支承を固定する工程と、
を含む支承の施工方法。
【請求項２】
先打ちコンクリート部の上側に後打ちコンクリート部を形成してなる場所打ちコンクリート杭に、構造物を支持する支承をアンカーボルトにより定着させる施工方法において、
掘削孔に主筋を配筋した状態で、当該掘削孔内に先打ちコンクリートを打設し、上側に余盛り部ができるように前記先打ちコンクリート部を形成する工程と、
前記余盛り部を除去し、前記先打ちコンクリート部の上面を露出させる工程と、
露出した前記先打ちコンクリート部の上面において、前記アンカーボルトを、前記支承を定着させる位置に位置決めした状態で保持装置を介して保持する工程と、
前記アンカーボルトを保持した状態で、前記掘削孔内に後打ちコンクリートを打設して前記後打ちコンクリート部を形成することで、前記アンカーボルトの下部を前記保持装置とともに前記後打ちコンクリート部に固定する工程と、
前記後打ちコンクリート部に固定された前記アンカーボルトの上部に前記支承を固定する工程と、を含む支承の施工方法に用いる保持装置であって、
前記余盛り部を除去して露出した前記先打ちコンクリート部の上面に設置される架台と、
前記架台に対して上下方向に位置調整可能に設けられた支持部と、
前記支持部上において水平方向に位置調整可能に載置され、前記アンカーボルトを、その長手方向の少なくとも一端部が上側に突出した状態で保持可能な保持部と、
を備える保持装置。
【発明の詳細な説明】
【技術分野】
【０００１】
本発明は、支承の施工方法、及びこれに用いる保持装置に関する。
【背景技術】
【０００２】
従来、構造物を支持する支承を、場所打ちコンクリート杭に定着させるための施工方法として、例えば特許文献１に記載された施工方法が知られている。この施工方法は、以下の手順で行われる。まず、地盤を掘削して掘削孔を形成し、その掘削孔内に上下方向に延びる主筋を配筋する。その際、主筋の上端部には、支承を固定するためのアンカーボルトを一体化する。
【０００３】
次に、掘削孔内に先打ちコンクリートを打設し、上側に余盛りコンクリート部ができるように先打ちコンクリート部を形成する。これにより、アンカーボルトの下部は先打ちコンクリート部に固定される。その後、余盛りコンクリート部をはつり取り、先打ちコンクリート部の上側に後打ちコンクリートを打設して後打ちコンクリート部を形成する。そして、後打ちコンクリート部の上側に支承を設置し、支承の下部をアンカーボルトの上端部に固定する。
【先行技術文献】
【特許文献】
【０００４】
【特許文献１】特開２００１−２８８７４４号公報
【発明の概要】
【発明が解決しようとする課題】
【０００５】
上記施工方法では、アンカーボルトは、主筋の上端部に一体化された後、先打ちコンクリート部に固定されるので、先打ちコンクリートを打設する前に、アンカーボルトを、支承を定着させる位置に位置決めしておく必要がある。しかし、先打ちコンクリートの打設前における掘削孔内には、アンカーボルトを一体化した主筋が不安定な状態で配置されているため、アンカーボルトを精度良く位置決めするのが非常に困難であった。このため、従来の施工方法にあっては、場所打ちコンクリート杭に支承を精度良く定着させることができないという問題があった。
【０００６】
本発明はこのような事情に鑑みてなされたものであり、場所打ちコンクリート杭に対して支承を精度良く定着させることができる支承の施工方法、及びこれに用いる保持装置を提供することを目的とする。
【課題を解決するための手段】
【０００７】
本発明の支承の施工方法は、先打ちコンクリート部の上側に後打ちコンクリート部を形成してなる場所打ちコンクリート杭に、構造物を支持する支承をアンカーボルトにより定着させる施工方法であって、掘削孔に主筋を配筋した状態で、当該掘削孔内に先打ちコンクリートを打設し、上側に余盛り部ができるように前記先打ちコンクリート部を形成する工程と、前記余盛り部を除去し、前記先打ちコンクリート部の上面を露出させる工程と、露出した前記先打ちコンクリート部の上面において、前記アンカーボルトを、前記支承を定着させる位置に位置決めした状態で保持装置を介して保持する工程と、前記アンカーボルトを保持した状態で、前記掘削孔内に後打ちコンクリートを打設して前記後打ちコンクリート部を形成することで、前記アンカーボルトの下部を前記保持装置とともに前記後打ちコンクリート部に固定する工程と、前記後打ちコンクリート部に固定された前記アンカーボルトの上部に前記支承を固定する工程と、を含む。
【０００８】
上記のように構成された支承の施工方法によれば、余盛り部を除去して露出した先打ちコンクリート部の上面に、アンカーボルトを位置決めした状態で保持装置を介して保持し、この状態から後打ちコンクリートを打設することで、アンカーボルトを後打ちコンクリート部に固定する。これにより、掘削孔内に安定した状態で配置されている先打ちコンクリート部の上面においてアンカーボルトを位置決めすることができる。したがって、従来のようにアンカーボルトを主筋に一体化する場合に比べて、アンカーボルトを精度良く位置決めすることができるので、場所打ちコンクリート杭に対して支承を精度良く定着させることができる。
【０００９】
本発明の保持装置は、上記支承の施工方法に用いる保持装置であって、前記余盛り部を除去して露出した前記先打ちコンクリート部の上面に設置される架台と、前記架台に対して上下方向に位置調整可能に設けられた支持部と、前記支持部上において水平方向に位置調整可能に載置され、前記アンカーボルトを、その長手方向の少なくとも一端部が上側に突出した状態で保持可能な保持部と、を備える。
【００１０】
上記のように構成された保持装置によれば、余盛り部を除去して露出した先打ちコンクリート部の上面に架台を設置し、その架台に対して支持部を上下方向に位置調整するとともに、アンカーボルトを保持した保持部を支持部に対して水平方向に位置調整することで、アンカーボルトを上下方向及び水平方向に位置決めすることができる。これにより、掘削孔内に安定した状態で配置されている先打ちコンクリート部の上面においてアンカーボルトを位置決めすることができる。したがって、従来のようにアンカーボルトを主筋に一体化する場合に比べて、アンカーボルトを精度良く位置決めすることができるので、場所打ちコンクリート杭に対して支承を精度良く定着させることができる。
【発明の効果】
【００１１】
本発明によれば、場所打ちコンクリート杭に対して支承を精度良く定着させることができる。
【図面の簡単な説明】
【００１２】
【図１】本発明の一実施形態に係る支承の施工方法に用いられる保持装置の側面図である。
【図２】本発明の一実施形態に係る支承の施工方法を示す側断面図であり、先打ちコンクリート部を形成する工程を示している。
【図３】余盛り部を除去して先打ちコンクリート部の上面を露出させる工程を示す側断面図である。
【図４】先打ちコンクリート部の上面に保持装置の架台を載置する工程を示す側断面図である。
【図５】アンカーボルトを位置決めした状態で保持装置の保持板に保持する工程を示す側断面図である。
【図６】帯筋及び捨て型枠を設置する工程を示す側断面図である。
【図７】アンカーボルトの下部を保持装置とともに後打ちコンクリート部に固定する工程を示す側断面図である。
【図８】アンカーボルトに支承を固定する工程を示す側断面図である。
【発明を実施するための形態】
【００１３】
次に、本発明の好ましい実施形態について添付図面を参照しながら説明する。
図１は、本発明の一実施形態に係る支承の施工方法に用いられる保持装置の側面図である。この保持装置５０は、例えば円柱状に形成された場所打ちコンクリート杭１の先打ちコンクリート部２の上面２ａにおいて複数のアンカーボルトＢを所定位置に保持するためのものである。保持装置５０は、先打ちコンクリート部２の上面２ａに設置される架台５１と、この架台５１に設けられた複数の支持ねじ（支持部）５２と、これらの支持ねじ５２上に載置される保持板（保持部）５３とを備えている。
【００１４】
架台５１は、先打ちコンクリート部２の上面２ａにおいて周方向に所定間隔をあけて載置される複数の脚部５１１によって構成されている。
各脚部５１１は、ベース板５１１ａと、このベース板５１１ａの上面に下端面が固定されて上方に延びるフレーム５１１ｂと、このフレーム５１１ｂの上端部に固定されたナット５１１ｃとを有している。
【００１５】
本実施形態のフレーム５１１ｂは、例えばアングル材により構成されている。また、フレーム５１１ｂの上下方向の長さは、ベース板５１１ａを先打ちコンクリート部２の上面２ａに載置した状態で、当該上面２ａから突出する主筋５よりもフレーム５１１ｂが高くなるように設定されている。
【００１６】
複数の支持ねじ５２の雄ねじ部５２ｂそれぞれは、固定ナット５６を介して各脚部５１１のナット５１１ｃに上側から締結されている。これにより、各支持ねじ５２の頭部５２ａは、対応するフレーム５１１ｂの上端よりも上方に突出している。また、この状態で、ナット５１１ｃに対する雄ねじ部５２ｂの締め付け量を調整することで、各支持ねじ５２の頭部５２ａの高さ位置を、架台５１の脚部５１１に対して上下方向に位置調整することができる。そして、位置調整後の各支持ねじ５２は、固定ナット５６により回り止めされる。
【００１７】
なお、本実施形態では雄ねじ部５２ｂを、ナット５１１ｃの上側から締結しているが、ナット５１１ｃの下側から締結してもよい。この場合、支持ねじ５２の雄ねじ部５２ｂの先端面の高さ位置を位置調整し、当該先端面に保持板５３を載置すればよい。また、本実施形態では支持部５２として支持ねじを用いているが、架台５１に対して上下方向に位置調整可能に設けられるものであれば、寸切ボルトや他の部材により構成されていても良い。
【００１８】
保持板５３は、例えば円板状に形成された平板部材により構成されており、この保持板５３の下面の中央寄り部分は、支持ねじ５２の頭部５２ａの上面に位置調整可能に載置されている。保持板５３の外周側には、厚み方向に貫通する貫通孔５３ａが周方向に所定間隔をあけて複数形成されている。各貫通孔５３ａにはアンカーボルトＢがそれぞれ挿通されている。各アンカーボルトＢの長手方向の一端部には、座金５５を挿通した状態でダブルナット５４が締結されており、このダブルナット５４の下面が座金５５を介して保持板５３の上面に当接することで、アンカーボルトＢは上記一端部を保持板５３よりも上側に突出した状態で当該保持板５３に保持されている。なお、保持板５３とダブルナット５４との間には、必ずしも座金５５を設ける必要はない。
【００１９】
以上の構成により、支持ねじ５２の頭部５２ａを架台５１の脚部５１１に対して上下方向に位置調整することで、アンカーボルトＢを上下方向（Ｚ軸方向）に位置決めすることができる。また、支持ねじ５２の頭部５２ａに載置されている保持板５３を水平方向（Ｘ軸方向及びＹ軸方向）に位置調整することで、アンカーボルトＢを架台５１に対して水平方向に位置決めすることができる。
【００２０】
なお、本実施形態では保持部５３として平板部材からなる保持板を用いているが、支持部５２上において水平方向に位置調整可能に載置され、アンカーボルトＢを、その長手方向の少なくとも一端部が上側に突出した状態で保持できるものであれば、他の部材により構成されていても良い。
【００２１】
図２〜図８は、本発明の一実施形態に係る支承の施工方法を示す説明図である。この施工方法は、図８に示すように、先打ちコンクリート部２の上側に後打ちコンクリート部３を形成してなる場所打ちコンクリート杭１に、構造物を支持する支承２０をアンカーボルトＢにより定着させる施工方法である。以下、この施工方法について、図２〜図８を参照しながら説明する。
【００２２】
まず、図２に示すように、掘削孔１０に上下方向に延びる主筋５を配筋した状態で、当該掘削孔１０内に先打ちコンクリートを打設し、上側に余盛り部４ができるように先打ちコンクリート部２を形成する。その際、先打ちコンクリート部２の施工天端（上面２ａ）の高さＨ１は、場所打ちコンクリート杭１の設計天端の高さＨ２から、アンカーボルトＢを後打ちコンクリート部３に埋め込む長さＬ以上を差し引いた高さとする。
【００２３】
次に、図３に示すように、余盛り部４の周囲の地盤Ｇを掘削した後に、余盛り部４をはつり取って除去する。これにより、先打ちコンクリート部２の上面２ａが露出した状態となる。その後、露出した先打ちコンクリート部２の上面２ａに上記保持装置５０を設置する。
【００２４】
具体的には、まず、図４に示すように、架台５１の複数の脚部５１１を、先打ちコンクリート部２の上面２ａにおいて主筋５よりも内側に載置し、各脚部５１１のナット５１１ｃに締結されている雄ねじ部５２ｂの締め付け量を調整し、支持ねじ５２における頭部５２ａの上面の高さ位置を調整する（図１参照）。本実施形態では、頭部５２ａの上面の高さＨ３が、上記設計天端の高さＨ２から、保持板５３の厚みｔを差し引いた高さとなるように調整する。
【００２５】
次に、図５に示すように、各支持ねじ５２の頭部５２ａの上面に保持板５３の下面の中央寄り部分を載置した状態で、保持板５３の各貫通孔５３ａにアンカーボルトＢを挿通し、ダブルナット５４により各アンカーボルトＢを保持板５３に保持する。そして、各アンカーボルトＢを保持した保持板５３を架台５１（支持ねじ５２の頭部５２ａ）に対して水平方向に位置調整する。これにより、アンカーボルトＢを、支承２０を定着させる位置に位置決めすることができる。保持板５３の水平方向の位置調整が終了すると、保持板５３を支持ねじ５２の頭部５２ａに溶接により仮止めする。
【００２６】
次に、図６に示すように、上面２ａから突出する複数の主筋５に、円環状の帯筋６を上下方向に所定間隔をあけて複数（ここでは３個）配筋した後、先打ちコンクリート部２の上端部の外周に円筒状の捨て型枠７を組み立てる。その際、捨て型枠７の上端面の高さは、上記設計天端の高さＨ２と同じ高さとする。
【００２７】
なお、本実施形態では、先打ちコンクリート部２の上側に、架台５１（アンカーボルトＢの保持も含む）、帯筋６及び捨て型枠７の順に設置しているが、これらの設置順序は、現場の状況に応じて適宜変更される。例えば、先打ちコンクリート部２の上面２ａの面積が広い場合には、捨て型枠７、帯筋６及び架台５１の順に設置しても良い。
【００２８】
次に、図７に示すように、捨て型枠７内に後打ちコンクリートを打設し、後打ちコンクリート部３を形成する。その際、後打ちコンクリート部３の施工天端（上面３ａ）の高さは、上記設計天端の高さＨ２と同じ高さとする。これにより、架台５１、支持ねじ５２、保持板５３、アンカーボルトＢの下部、上面２ａから突出する主筋５、及び帯筋６は後打ちコンクリート部３により埋め殺しされる。したがって、アンカーボルトＢは、保持装置５０により位置決めされた状態で後打ちコンクリート部３に固定される。
【００２９】
次に、アンカーボルトＢから一旦、ダブルナット５４及び座金５５を取り外し、図８に示すように、支承２０の取付板２１の厚み方向にアンカーボルトＢの上部を貫通させ、当該取付板２１を後打ちコンクリート部３の上面３ａに載置する。そして、ダブルナット５４及び座金５５により、取付板２１をアンカーボルトＢの上部に固定する。これにより、支承２０をアンカーボルトＢに定着することができる。
【００３０】
以上、本実施形態の支承の施工方法によれば、余盛り部４を除去して露出した先打ちコンクリート部２の上面２ａに、アンカーボルトＢを位置決めした状態で保持装置５０を介して保持し、この状態から後打ちコンクリートを打設することで、アンカーボルトＢを後打ちコンクリート部３に固定する。これにより、掘削孔１０内に安定した状態で配置されている先打ちコンクリート部２の上面２ａにおいてアンカーボルトＢを位置決めすることができる。したがって、従来のようにアンカーボルトを主筋に一体化する場合に比べて、アンカーボルトＢを精度良く位置決めすることができるので、場所打ちコンクリート杭１に対して支承２０を精度良く定着させることができる。
【００３１】
また、保持装置５０によれば、余盛り部４を除去して露出した先打ちコンクリート部２の上面２ａに架台５１を設置し、その架台５１に対して支持ねじ５２を上下方向に位置調整するとともに、アンカーボルトＢを保持した保持板５３を支持ねじ５２に対して水平方向に位置調整することで、アンカーボルトＢを上下方向及び水平方向に位置決めすることができる。これにより、掘削孔１０内に安定した状態で配置されている先打ちコンクリート部２の上面２ａにおいてアンカーボルトＢを位置決めすることができる。したがって、従来のようにアンカーボルトを主筋に一体化する場合に比べて、アンカーボルトＢを精度良く位置決めすることができるので、場所打ちコンクリート杭１に対して支承２０を精度良く定着させることができる。
【００３２】
なお、今回開示された実施形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００３３】
１  場所打ちコンクリート杭
２  先打ちコンクリート部
２ａ  上面
３  後打ちコンクリート部
４  余盛り部
５  主筋
１０  掘削孔
２０  支承
５０  保持装置
５１  架台
５２  支持ねじ（支持部）
５３  保持板（保持部）
Ｂ  アンカーボルト
【図１】
0006629604.tif 000002
【図２】
0006629604.tif 000003
【図３】
0006629604.tif 000004
【図４】
0006629604.tif 000005
【図５】
0006629604.tif 000006
【図６】
0006629604.tif 000007
【図７】
0006629604.tif 000008
【図８】
0006629604.tif 000009